Podtech/llm-jp-corpus-v4-ja_patent huggingface dataset:
(57)【要約】      （修正有）【課題】簡単に脱着でき、食事中に胸元の衣類に飛び散る食事片による汚れを防止するペーパーナプキン又は布ナプキン留めを提供する。【解決手段】革ひも５の両端にデザイン化されたマグネット２を付けたことを特徴とするペーパーナプキン又は布ナプキン留め。マグネット２がシリコン１に埋め込まれており操作において安全性が高い。【選択図】図６
0003191843.tif 000002
【実用新案登録請求の範囲】
【請求項１】
革ひもの両端にデザイン化されたマグネットをつけた食事用のペーパーナプキン（または通常の布ナプキン）を留めるもの。
【請求項２】
デザイン化されたマグネットはシリコンに埋め込んでおり、操作においては安全性が高い。
【請求項３】
マグネットで簡単にペーパーナプキン（または通常の布ナプキン）を挟み込むため老若男女を問わず使い勝手が容易。
【請求項４】
多くの方に使って頂けるよう低コストを図りデザイン・素材等シンプル化した。
【考案の詳細な説明】
【技術分野】
【０００１】  本考案は、食事用のペーパーナプキン（または通常の布ナプキン）が直ぐにずれ落ちないよう２つのマグネットで簡単に挟み留めるものである。また安全性を考慮し素材はシリコンにマグネットを埋め込み首からかける紐も革で装着時のひんやり感もなく肌に優しい素材にした。
【背景技術】
【０００２】  ペーパーナプキン（または通常の布ナプキン）はこれまで襟首や洋服のボタンの間に挟み使っていたが直ぐにずれ落ち利用者を苛立たせていた。膝の上においての利用もあるが胸元の衣類への汚れ防止には役立たたない。そういった問題点を解決する方法として簡単に脱着できるマグネットでペーパーおよび布ナプキンを挟み込むマグネット留めを開発した。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】  老若男女誰でも簡単に手軽に脱着することができるように脱着にマグネットを使用した。そして男女兼用ということで片方には男性用の星型ともう片方には女性用のハート型のマグネットでどちらでも前面に使えるようデザイン化すると共に、ペーパーナプキン（または通常の布ナプキン）をマグネットで留めて食事中直ぐにずれ落ちないようにして食事での食事片による汚れを防止する。
【課題を解決するための手段】
【０００６】  マグネットを使用しているためペーパーナプキン（または通常の布ナプキン）への取付けは全く力を入れずに簡単に装着ができる。
小型軽量のためポケットやハンドバック等どこでも携帯することができる。
【考案の効果】
【０００７】  小型軽量で携帯性も良くデザインも受容性が高いので、ポケット・カバンやハンドバッグに入れてどこでも持ち運びができ、食事の時にペーパーナプキンや布ナプキンを胸に簡単に装着できるので食事時の飛び・跳ねやこぼし汚れを防止できる。また磁力を使いワンタッチ操作で脱着ができるので大人だけでなく子供や高齢の人にも易しく使える。
【図面の簡単な説明】
【０００８】
【図１】本考案のマグネットキャッチャー片側の星デザインのマグネットを内蔵したシリコン素材の正面図。
【図２】もう一方のハートデザインのマグネットを内蔵したシリコン素材の正面図。
【図３】星デザインの側面図。
【図４】ハートデザインの側面図。
【図５】２つのシリコンデザイン（星とハート）を繋いで首からぶら下げる編み革の紐。
【図６】全体概略図
【考案を実施するための形態】
【０００９】  食事をする時に、ペーパーナプキン（または通常の布ナプキン）が襟首からすべり落ちないように星型のマグネットとハート型のマグネットで挟み込みマグネットの磁力でナプキンを留め、食事時の飛び・跳ねやこぼし汚れを防止する。そして素材がマグネットのため手軽に脱着ができるため利便性と使い勝手に優れている。
また応用例として、メモ類をマグネットで挟み込み冷蔵庫等に貼り付けたり、近くのスチールボートに貼り付けメモホールダーとして手軽に活用できる。
【実施例】
【００１０】
【産業上の利用可能性】
【００１１】  シンプルデザインと簡単な素材を使っているので製造コストを抑えることにより企業での販促商品として利用を見込んでいる。  またよりデザイン性を高めマグネットで留めるナプキンの高級化を図り、敬老の日や父の日のプレゼント等ワンツーワン・マーケティングの商品（（公序良俗違反につき、不掲載）でのアイデア商品として）としても追及が可能。
【符号の説明】
【００１２】  （１）シリコン
（２）マグネット
（３）リング
（４）留め金
（５）革ひも
【図１】
0003191843.tif 000003
【図２】
0003191843.tif 000004
【図３】
0003191843.tif 000005
【図４】
0003191843.tif 000006
【図５】
0003191843.tif 000007
【図６】
0003191843.tif 000008
【手続補正書】
【提出日】平成26年2月10日(2014.2.10)
【手続補正１】
【補正対象書類名】実用新案登録請求の範囲
【補正対象項目名】全文
【補正方法】変更
【補正の内容】
【実用新案登録請求の範囲】
【請求項１】
革ひもの両端にデザイン化されたマグネットを特徴とするペーパーナプキン又は布ナプキン留め。
【請求項２】
操作において安全性が高い請求項１に記載のペーパーナプキン又は布ナプキン留め。
【手続補正３】
【補正対象書類名】明細書
【補正対象項目名】００１１
【補正方法】変更
【補正の内容】
【００１１】シンプルデザインと簡単な素材を使っているので製造コストを押さえる事により企業での販促商品として利用を見込んでいる。
またよりデザイン性を高めマグネットで留めるナプキンの高級化を図り敬老の日や父の日のプレゼント等ワンツーワン・マーケティングの商品（雑貨小売販売店のアイデア商品）としても追求が可能。
【手続補正書】
【提出日】平成26年4月18日(2014.4.18)
【手続補正１】
【補正対象書類名】実用新案登録請求の範囲
【補正対象項目名】全文
【補正方法】変更
【補正の内容】
【実用新案登録請求の範囲】
【請求項１】
革ひもの両端にデザイン化されたマグネットを付けたことを特徴とするペーパーナプキン又は布ナプキン留め。
【請求項２】
マグネットがシリコンに埋め込まれており操作において安全性が高い請求項１に記載のペーパーナプキン又は布ナプキン留め。
(57)【要約】      （修正有）【課題】窓の両サイドを開くことができ、風が入りやすく、換気が十分になされ、また、内側に装着するので汚れにくく、また、内側に跳ね上げられるので掃除がしやすい網戸を提供する。【解決手段】網戸１は窓枠の内側上部に蝶番２により、開閉可能なように設置されている。下部には取手３をつけている。この図の場合はガラス戸は２枚であるが、１枚であっても、３枚以上であってもよい。１枚の場合は、ガラス戸外側に開く形式とする。なお、２枚の場合は、通常のスライド式、あるいは、外側に向かって開く形式のいずれかの方式も可能である。特に、外側に開く形式の窓に設置した場合に本考案のメリットは大きくなる。【選択図】図１
0003191844.tif 000002
【実用新案登録請求の範囲】
【請求項１】
建築物の屋内と屋外の間の開口部である窓、または、出入口のもっとも屋内側に設置する上辺で懸架することを特徴とする網戸。
【請求項２】
上辺を網戸を内側に跳ね上げることが可能な部材により固定したことを特徴とする請求項１に記載の網戸。
【請求項３】
上辺を蝶番で固定したことを特徴とする請求項２に記載の網戸。
【請求項４】
上方に巻き取ることが可能な形状とした請求項１に記載の網戸。
【考案の詳細な説明】
【技術分野】
【０００１】
本考案は住宅に設置する網戸に関するものである。特に、便所、浴室、階段の側面等に設置する面積の比較的小さい窓や開口部に設置する網戸に関するものである。
【０００２】
網戸は通常は2枚以上ガラスよりなる窓に設置する。開口部が小さい窓に設置した網戸には汚れが付きやすい。一方、網戸は通常はガラス窓の外側に設置されるため、掃除がしにくいという問題点がある。特に、便所、浴室等の窓の位置は高い場合が多く、また、階段の側面につけられた網戸は取り外さなければ、多くの場合に掃除は困難である。
【背景技術】
【０００３】
網戸は通常は2枚以上ガラス戸よりなる窓に設置するが、開口部が小さい窓に網戸をつけた場合は、網戸の面積が小さくなり、換気、通風効果が十分には得られない。一般的に網戸は通気性、換気性を減少させる。そのため、換気性を上げる試みはいくつかなされている。しかし、掃除のしやすさについては、網戸は外して掃除をするものとの認識があり、注目されてこなかった。小型の窓に網戸を設置する技術には、特開平８−７０３１０号公報に開示された発明がある。
【先行技術文献】
【特許文献】
【０００４】
【特許文献１】特開平８−２７０３１０
【考案の概要】
【考案が解決しようとする課題】
【０００５】
トイレや洗面所などにある小さな窓に取りつける網戸は、従来、片側の開口部分につけたものが多く、窓の全面に対しての場合は、全体的に外側から網戸を固定させることが行われてきた。これらの窓はしばしば高い位置にあり、掃除は家屋の外側より行うか、取り外して行う必要がある。外側からの掃除は行いにくく、また、危険でもある。そのため、つい掃除をせずに放置されることになる。
【課題を解決するための手段】
【０００６】
本考案は、従来の基本的な考え方である網戸をガラス戸の外側に配置するという考え方を根本的に変えるものであり、網戸をガラス戸の内側に配置し、必要に応じて内側に跳ね上げることにより、換気性を大きくし、また、掃除が簡単に行えるようにしたもので、
第１の考案は、建築物の屋内と屋外との間の開口部である窓、または、出入口のもっとも屋内側に設置する上辺で懸架する方式の網戸である。
また、第２の考案は、第１の考案において、上辺を網戸を内側に跳ね上げることが可能な部材により固定する網戸である。
また、第３の考案は、第２の考案において、網戸の上辺を蝶番で固定する網戸である。
また、第４の考案は、第１の考案において、上方に巻き取ることが可能な形状とする網戸である。
【考案の効果】
【０００７】
本考案によると、窓の両サイドを開くことができ、風が入りやすく、換気が十分になされる。また、内側に装着するので汚れにくく、また、内側に跳ね上げられるので掃除がしやすい。
【０００８】
階段の踊り場などにある縦長、外開き式の窓には、ロール式の網戸を内側に装着すると良い。この場合の掃除は、網戸を固定した状態で内側を掃除し、ついで、巻き上げつつ外側の掃除を行う。
【図面の簡単な説明】
【０００９】
【図１】本考案を実施した場合の内側より見た状態を示した図である。
【図２】本考案を実施した場合の、網戸が窓を覆っている状態（網戸として機能している状態）：A、および、換気や掃除のために跳ね上げた状態：Bを示す図である。
【図３】本考案の巻き上げ可能な網戸を示した図である。
【考案を実施するための形態】
【００１０】
図１は本発明の網戸を内側（屋内側）より見た図である。網戸１は窓枠４の内側上部に蝶番２により、開閉可能なように設置されている。下部には取手３をつけている。この図の場合はガラス戸は２枚であるが、1枚であっても、3枚以上であってもよい。1枚の場合は、ガラス戸は外側に開く形式とする。なお、２枚の場合は、通常のスライド式、あるいは、外側に向かって開く形式（観音開き式）のいずれかの方式も可能である。特に、外側に開く形式の窓に設置した場合に本考案のメリットは大きくなる。
【００１１】
図２に網戸１の開閉状態を示す。跳ね上げは、窓の開閉時、網戸の掃除、あるいは、虫の侵入が予想しにくく、かつ、強力な換気を必要とする場合に行う。網戸を開いた（跳ね上げた）状態で固定する手段は別途、設置する。この固定手段は網戸の重量等を考慮して選択すればよいが、図示していない。例えば、単なる棒であっても良い。
【００１２】
図３は、縦方向の長さが長く、内側に跳ね上げた場合には、邪魔になる場合の解決策としての網戸を示したものである。この網戸は巻き上げ可能な形態である。網戸の左右および下側には面ファスナー（図示していない）をつけており、窓枠側の面ファスナーとの間で固定する。網戸１の上片は窓枠４に固定している。掃除はまず、網戸を固定した状態で内側について行い、ついで、巻き上げつつ外側を行う。
【産業上の利用可能性】
【００１３】
本考案は網戸の普及率を上げ、その製造、販売等に関連する産業、さらには、建設業に対しても、ビジネスチャンスを広げる効果を有する。
【符号の説明】
【００１４】
１        網戸
２        蝶番
３        取手
４        窓枠
【図１】
0003191844.tif 000003
【図２】
0003191844.tif 000004
【図３】
0003191844.tif 000005
【手続補正書】
【提出日】平成26年5月13日(2014.5.13)
【手続補正１】
【補正対象書類名】実用新案登録請求の範囲
【補正対象項目名】全文
【補正方法】変更
【補正の内容】
【実用新案登録請求の範囲】
【請求項１】
上辺で懸架することを特徴とする網戸。
【請求項２】
上辺を網戸を内側に跳ね上げることが可能な部材により固定したことを特徴とする   請求項１に記載の網戸。
【請求項３】
上辺を蝶番で固定したことを特徴とする請求項２に記載の網戸。
【請求項４】
可撓性を有する枠材の左右および下側に面ファスナーを付けた巻き上げ可能な形状であることを特徴とする請求項１に記載の網戸。
(57)【要約】      （修正有）【課題】運動中に個人的に動画や静止画を楽しむことができる健康器具を提供する。【解決手段】健康器具１の前面で各種データーが表示されている場所に動画並びに静止画を表示できる装置２も組み込み、運動中に動画や静止画を表示する。【選択図】図１
0003191845.tif 000002
【実用新案登録請求の範囲】
【請求項１】
リカンベントバイク及びエアロバイクの前面で各種データーが表示されている場所に、動画並びに静止画表示装置も組み込むことを特徴とする動画並びに静止画表示装置が搭載されたリカンベントバイク及びエアロバイク。
【考案の詳細な説明】
【技術分野】
【０００１】本考案は、動画並びに静止画表示装置が組み込まれたリカンベントバイク及びエアロバイクに関するものである。
【背景分野】
【０００２】  従来の特にジムでのバイク及びエアロバイクは、運動している間、音楽を聞くことくらいしかできず、飽きて短時間で切り上げてしまうことが少なからずあった。
【考案の概要】
【考案が解決しようとする課題】
【０００３】  リカンベントバイク及びエアロバイクをこいでいる時、個人的に動画や静止画を楽しめる機能を提供する。
【課題を解決するための手段】
【０００４】  本考案は、リカンベントバイク及びエアロバイクの前面で各種データーが表示されている場所に、動画並びに静止画表示装置を組み込み、運動中に動画を表示することができる。
【考案の効果】
【０００５】  高齢者等がリカンベントバイクを使って辛いリハビリを行なう場合、辛さを幾分か軽減することができる。体力向上の運動をする場合も、飽きずに楽しみを付加し長い時間取り組むことができる。
【図面の簡単な説明】
【０００６】
【図１】リカンベントバイク本体と搭載された動画並びに静止画表示装置
【図２】動画並びに静止画表示装置の拡大図
【考案を実施するための形態】
【０００７】  リカンベントバイク及びエアロバイクの前面で各種データーが表示されている場所に、動画並びに静止画表示装置を組み込み、運動中に動画や静止画を表示する。
【実施例】
【０００８】  以下添付図に従って、一実施例を説明する。１は、リカンベントバイク本体であり、２は前記リカンベントバイク本体の前面に組み込まれた動画並びに静止画表示装置。
【符号の説明】
【０００９】１  リカンベントバイク本体
２  動画並びに静止画表示装置
【図１】
0003191845.tif 000003
【図２】
0003191845.tif 000004
【手続補正書】
【提出日】平成26年4月17日(2014.4.17)
【手続補正１】
【補正対象書類名】実用新案登録請求の範囲
【補正対象項目名】全文
【補正方法】変更
【補正の内容】
【実用新案登録請求の範囲】
【請求項１】
健康器具において、運動者が運動をしながら感受し易い位置に、音声、静止画、動画を提供する装置を組み込むことを特徴とする音声、静止画、動画提供装置付き健康器具。
【手続補正２】
【補正対象書類名】明細書
【補正対象項目名】全文
【補正方法】変更
【補正の内容】
【考案の詳細な説明】
【技術分野】
【０００１】本考案は、音声、静止画、動画提供装置が搭載された健康器具に関するものである。
【背景技術】
【０００２】  従来の運動器具は、外部の音楽提供装置からの音楽を聞くことくらいしか出来ず、飽きて運動を継続して行なうことが難しかった。
【考案の概要】
【考案が解決しようとする課題】
【０００３】  運動器具を使って運動をしている時、個人的に音声や静止画並びに動画を楽しめる機能を提供する。
【課題を解決するための手段】
【０００４】  本考案は、運動器具に、運動している人が感受し易い位置に、音声や静止画並びに動画を提供する装置を搭載する。
【考案の効果】
【０００５】  事故や病気等で運動機能がマヒした人が健康器具を使って辛いリハビリを行なう場合、辛さを幾分か軽減することができる。体力向上の運動をする場合も楽しみを付加し、飽きずに継続して取り組むことができる。
【図面の簡単な説明】
【０００６】
【図１】リカンベントバイク本体と搭載された静止画並びに動画表示装置
【図２】静止画並びに動画表示装置の拡大図
【考案を実施するための形態】
【０００７】  健康器具で運動中の人が感受し易い位置に、前記健康器具に音声や静止画並びに動画提供装置を搭載する。
【実施例】
【０００８】以下添付図に従って、１実施例を説明する。１は、リカンベントバイク本体であり、２は前記リカンベントバイク本体の前面に組み込まれた静止画並び動画表示装置。
【符号の説明】
【０００９】１  リカンベントバイク本体
２  静止画並びに動画表示装置
【選択図】
図１
(57)【要約】      （修正有）【課題】Ｘ線撮影時の被検者の体位による苦痛を緩和し、撮影時の正確な位置決めと再撮影時の再現性を向上できる距踵関節Ｘ線撮影補助具を提供する。【解決手段】Ｘ線検査装置のベッド上に低いベース本体１が設けられ、このベース本体上面に足部を置く足置台６と距踵角度を決める角度基準板３とが設けられ、更にこの足置台の左右両側にフイルムカセッテ１０を挿入出来るカセッテ台４，５が設けられている。足置台後方には溝部を有した角度基準板取付部２が形成され、角度基準板は三角状であり、溝部を案内として左右にスライド可能であるのが好ましい。【選択図】図１
0003191863.tif 000002
【実用新案登録請求の範囲】
【請求項１】
Ｘ線検査装置のベッド上に低いベース本体が設けられ、このベース本体上面に足部を置く足置台と距踵角度を決める角度基準板とが設けられ、更にこの足置台の左右両側にフイルムカセッテを挿入出来るカセッテ台が設けられている距踵関節Ｘ線撮影補助具。
【請求項２】
前記ベース本体上面の足置台後方には溝部を有した角度基準板取付部が形成され、距踵角度を決める角度基準板は三角状であり、前記の溝部を案内として左右にスライド可能となる特徴を有する請求項１記載の距踵関節Ｘ線撮影補助具。
【請求項３】
カセッテ台は中心軸を中心にして水平に旋回出来るようベース本体上面に取付けられ、位置決めボルトにより複数の旋回角度位置に固定出来る機能を有す請求項１に記載の距踵関節Ｘ線撮影補助具。
【考案の詳細な説明】
【技術分野】
【０００１】  医療で施行される距踵関節のＸ線撮影は一般的に被検者に負担がかかる体位となり苦痛を伴い、更に手順が複雑なため撮影技師の高い熟練度を必要とする。
本考案の撮影補助具の使用により被検者の負担軽減と迅速かつ歪のない正確な距踵関節部の撮影が可能となり、最検査の為の撮影時に再現性の高い描出撮像が得られる。
距踵関節の正確な描出のためＸ線入射角とフィルム面が適正な角度となるよう角度調整の機能を有する。又、被検者の安全確保及び補助具の強度向上と小型軽量化を図った。
【背景技術】
【０００２】距踵関節（アントンセン１法）の撮影補助具として発泡スチロールとアクリル板を組み合わせたものが試作され放射線技術学会で発表されている。
【先行技術文献】
【非特許文献】
【０００３】
【非特許文献１】  学会発表の文献  発表日  平成２０年２月１０日  学会名称  日本放射線技術学会  第５１回近畿部会学術大会  演題番号  ４２  演題名  アントンセン氏１法撮影の補助具作成と再現性の検討  演者  大津赤十字病院  澤  龍貴  アドレス  ｗｗｗ．ｊｓｒｔｋｉｎｋｉ．ｊｐ／ｅｃ／ｉｔｅｍ／ｋｉｒｏｋｕ／７４６９ｆ１７３０ｃ／４２．ｐｄｆ
【考案の概要】
【考案が解決しようとする課題】
【０００４】１）撮影体位による苦痛。
被検者の撮影時体位は腹臥位で背腹位と苦痛を伴う。
２）正確なポジショニングと再撮影時の再現性の困難さ。
被験者は前記１）項の体位で撮影され、足部の角度設定が困難であることと体位の静    止保持が課題で再現性が悪い。
３）関節面の描出時に歪が生じる。
Ｘ線入射角とフィルム面が適切な角度でないため関節面の描出に歪が生じる。
４）カセッテ台の不安定さと撮影補助具の強度不足。
５）医療補助具としての衛生管理と安全性の不安定さ。
【課題を解決するための手段】
【０００５】  被検者は座位又は仰臥位の体位にて、設置された本補助具の足置台に足を乗せ、奥に設置されている角度基準板に足裏をつけ、足裏の基準中心線を基準角度線に合わせるだけの姿勢となる。カセッテ台は複数の適正な角度に位置決め固定出来る機能を有し、剛性を持ち衛生管理の容易な構造と材料にした。
【考案の効果】
【０００６】１）被検者の体位による苦痛緩和。
被検者は座位又は仰臥位となり重症度の高い被検者でも体位が楽になり苦痛が緩和さ    れる。
２）正確なポジショニングと再撮影時の再現性の向上。
苦痛のない体位となり患部の位置と角度を容易に設定できるので位置決めが正確とな    り体位の保持が楽になり再現性に優れる。
３）撮影画像の歪の軽減。
Ｘ線入射角とフィルム面を適正な角度とすることで撮影画像の歪をなくす。
カセッテ台は設定角度に位置決め固定でき、さらに必要に応じて複数の角度に位置決    めできるようにし、補助具全体の剛性を高める。
４）医療補助具として安全性、衛生管理に考慮した材料を用い適度な表面処理を施す。
【図面の簡単な説明】
【０００７】
【図１】全体の前部（被験者側）よりの立体斜視図である。
【図２】全体の平面図である。図の下側に被検者がくる。
【図３】被検者側から見た使用状態図である。
【考案を実施するための最良の形態】
【０００８】  以下、本考案の実施の形態を説明する。
１）台形状の低いベース本体１の上面手前中心に被検者の足を置く足置台６を取りつける    。
２）足置台６の後方に溝型の案内を持つ角度基準板取付部２を固定し、３０度の角度を有    する角度基準板３を前記溝部に挿入して左右水平にスライド可能にする。  又、角度    基準板３を反転裏返しすることも可能である。
３）足置台６の左右両側やや後方寄りにカセッテ台４、５を置く。カセッテ台は中心軸９    にて旋回出来る。  カセッテ台は基準角度２５度となるよう片端の穴と、ベース本体    に設けた位置決め穴８にて位置決めされ固定ボルト７で固定する。位置決め穴８は角    度変更に対応出来るよう複数設ける。
５）カセッテ台４，５は上部と後方が開放されカセッテフィルムを後方から挿入し易くな    るよう後部端には案内面を設ける
６）全体に剛性をもたせると共に安全と軽量化を考慮し適切な材料を用い表面処理をする    。
本考案は以上の構成よりなる。
本考案を使用する際はＸ線撮影装置のベッド上に本考案を置き、被検者の足を足置台６  に乗せ、更に足裏を角度基準線１３に合わせる。フィルムカセッテ１０をＸ線入射方向  １１又は１２に対するカセッテ台４，５のいずれかに挿入する。
【産業上の利用可能性】    本考案を使用することにより被検者の状態、撮影技師の習熟度を問わず迅速且つ安全  に正確な画像を得ることが出来る。更に再撮影時の復元性にも優れる。
【符号の説明】
【０００９】    １  ベース本体
２  角度基準板取付部
３  角度基準板            ３ａ  右足撮影時          ３ｂ  左足撮影時
４  カセッテ台Ａ
５  カセッテ台Ｂ
６  足置台
７  固定ボルト
８  位置決め穴
９  中心軸
１０  フィルムカセッテ（本補助具には含まず）
１１  Ｘ線入射方向Ａ
１２  Ｘ線入射方向Ｂ
１３  角度基準線（３０°）
【図１】
0003191863.tif 000003
【図２】
0003191863.tif 000004
【図３】
0003191863.tif 000005
(57)【要約】      （修正有）【課題】場所を問わず何処にでも所望個所に使用でき、かつホルダーへのメモ用紙やメッセージカード等のセットが行い易い、セパレート式メモホルダーを提供する。【解決手段】メモ用紙やメッセージカード等を挟持するホルダー部１と、ホルダー部を挿着固定する為のベース部１１とを分離させ、ベース部は粘着層により何処にでも貼り付けられる様にした。メモホルダーとして利用する際は、ホルダー部を貼着固定されたベース部の差し込みスロット穴１２に挿着して利用する。【選択図】図１
0003191866.tif 000002
【実用新案登録請求の範囲】
【請求項１】
メモ用紙やメッセージカード、名刺、写真、ハガキ等を挟持するホルダー部と、それを挿着固定する為の粘着層付きベース部とを分離する事で、ホルダー部の挿脱を可能としたセパレート式メモホルダー。
【考案の詳細な説明】
【技術分野】
【０００１】  本考案は、メモ用紙やメッセージカード等を挟持するホルダー部と、それを挿着固定する為の粘着層付きベース部とを分離させる事により、ホルダー部の挿脱を可能としたメモホルダーの改良に関するものである。
【背景技術】
【０００２】  従来のメモホルダーは主に、ベース部が重錘になっている据え置きタイプや金属部に着設して使用するマグネットタイプ、クリップを固定個所に挟着して使用するクリップタイプの３種あり、その中で固定型と言えるのはマグネットタイプとクリップタイプである。【０００３】  従来からの固定型メモホルダーは固定できる個所が限られる為に、場所を問わず所望個所に手軽に固定して利用できるものが無かった。またメモ用紙やメッセージカード等をセットしたり既にセットされているものを差し替える場合は、メモホルダーを本体ごと固定個所から取り外すか、既に固定状態にあるホルダーに直接セットする必要があった。
【考案の概要】
【考案が解決しようとする課題】
【０００４】  本考案は、従来のメモホルダーの欠点を解決する為に、場所を問わず何処にでも所望個所に固定して使用できる様にした。加えてメモ用紙やメッセージカード等のホルダーへのセットや差し替え作業を行い易いものとした。
【課題を解決するための手段】
【０００５】  上記目的を達成する為に本考案は、メモ用紙やメッセージカード等を挟持するホルダー部と、それを挿着固定する為の差し込みスロット穴を有するベース部とを分離させた。【０００６】  ベース部は粘着層を利用して場所を問わず何処にでも所望個所に貼着できる様にした。実際にメモホルダーとして使用する場合は、貼着固定したベース部の挿着用差し込みスロット穴にホルダー部の支柱を挿入して利用する。【０００７】  メモ用紙やメッセージカード等をセットしたり既にセットされているものを差し替える場合は、貼着固定されているベース部よりホルダー部のみを抜脱し、手元に持ってきてセットする事ができる。
【考案の効果】
【０００８】  本考案に係るメモホルダーは、ベース部を粘着層を利用して貼着するので、電話機、パソコン、ＦＡＸ、プリンタ等のＯＡ機器、他電気製品や家具、壁面等々、固定個所を特に選ばず所望個所に利用できる。【０００９】  ホルダー部のみをベース部から挿脱できるので、メモ用紙やメッセージカード等のセットや差し替え作業が簡単にできる。【００１０】  メモ用紙等の掲示が不要な場合はベース部からホルダー部のみを抜脱しておけば良いし、いつでも簡単に元の場所に再掲示する事ができる。【００１１】  ホルダー部のみを、発砲スチロールや段ボール、砂、土など柔らかい素材や場所に直接差し込んで使用する事もできる。この場合、ベース部は使用しない。
【図面の簡単な説明】
【００１２】
【図１】本考案の第一の実施例におけるセパレート式メモホルダーの概念図。
【図２】本考案の第二の実施例におけるセパレート式メモホルダーの概念図。
【図３】本考案の第三の実施例におけるセパレート式メモホルダーの概念図。
【図４】本考案の第一の実施例におけるセパレート式メモホルダーの組み立て図。
【図５】本考案の第三の実施例におけるセパレート式メモホルダーの組み立て図。
【図６】ビジネスホン電話機へのセパレート式メモホルダー使用例図。
【００１３】  以下、本考案の実施の形態を図に基づいて説明する。各図において、同一部分には同一番号を付し、重複する説明は省略する。各部品のサイズについては、挟持対象物に合わせた多様なサイズが考えられる為、表記を省略する。【００１４】  図１の１：メモ用紙やメッセージカード、名刺、写真、ハガキ等を挟持する為のホルダー部  ２：平型の支柱部で、１のホルダー部と一体型で構成される。素材的にはプラスチック等の樹脂やスチールやステンレス等の金属により形成するが、金属を利用した場合、形状記憶特性を利用し支柱を湾曲させる事により角度調整が可能となる。１１：ホルダーを挿着固定する為のベース部で素材的にはプラスチック樹脂の他、ゴムやシリコン、ジェル等の弾性のある素材も好適である。  １２：ホルダーの支柱部を挿着する為の差し込みスロット穴で、差し込み口はホルダー支柱部断面のサイズや形状に合わせたものとなっている。穴の深さについては、ホルダー部を安定的に固定する為、ホルダー部全長の５分の１程度は確保したい。  １３：ベース部を所望個所に貼着する為の粘着層。【００１５】  図２はホルダー部に角度調整機構を設けた実施例である。  ３：角度調整部。ホルダー部にプラスチック樹脂を利用した場合、一体化構造では角度調整が困難である為、折り曲げて角度を自由に変える為の角度調整機構部を２ヶ所に設けた図である。【００１６】  図３はメモ用紙等を挟持するホルダー部にワニ口クリップを利用した実施例である。１：ワニ口クリップ  ２：丸型の支柱部で素材的にはプラスチック樹脂や金属ワイヤーを利用する。  １２：ホルダー支柱部を挿着する為の丸型差し込み穴で、差し込み口はホルダー支柱部断面のサイズや形状に合わせたものとなっている。【００１７】  図４は、ホルダーの平型支柱部をベース部の差し込みスロット穴に挿着し、２１．メモ用紙等を１．ホルダーに挟持している組み立て図で、１１．ベース部貼着固定前の状態である。【００１８】  図５は、ホルダーの丸型支柱部をベース部の丸型差し込み穴に差し込み、２１．メモ用紙等を１．ワニ口クリップに挟持している組み立て図で、１１．ベース部貼着固定前の状態である。【００１９】  図６は、２２：オフィス用ビジネスホン電話機の背面に２３：セパレート式メモホルダーを貼着固定し、２１．メモ用紙等をホルダーに挟持している使用例図である。通常、オフィス用電話機には短縮ダイヤル等の電話番号一覧表を掲示するケースが多い。【００２０】  以上、本考案に係るセパレート式メモホルダーの一般的な実施形態を図示して説明してきたが、本考案は上記に示される実施例に限られるものではない。本考案の技術的範囲を逸脱することなく種々の変更が可能であることは理解されるであろう。
【図１】
0003191866.tif 000003
【図２】
0003191866.tif 000004
【図３】
0003191866.tif 000005
【図４】
0003191866.tif 000006
【図５】
0003191866.tif 000007
【図６】
0003191866.tif 000008
(57)【要約】      （修正有）【課題】狭いスペースでも衛生的に使用でき、収納しやすい毛払いブラシを提供する。【解決手段】ハンドル部２と、ハンドル部に植え付けられたブラシ部３からなる、全体として矩形板状の毛払いブラシ１は、従来の毛払いブラシよりも、コンパクトに収納でき、ブラシ部とハンドル部が矩形に接合されるので、ブラシ部の毛の重なりが少なく、防湿性、通気性がよく、付いた毛も落としやすいので、毛も痛みにくい。そして、毛を払う際に、ブラシの動かす方向により、肌に触れる面積を調節しやすい。【選択図】図１
0003191864.tif 000002
【実用新案登録請求の範囲】
【請求項１】
ハンドル部と、前記ハンドル部に植え付けられたブラシ部からなる、全体として矩形板状の毛払いブラシ。
【請求項２】
ハンドル部に紐状部材をひっかける掛止部が、少なくとも１つある請求項１記載の毛払いブラシ。
【請求項３】
ハンドル部に少なくとも１つの滑り止めのある請求項１または、請求項２記載の毛払いブラシ。
【請求項４】
ハンドル部の厚み方向に貫通している長孔のある請求項３記載の毛払いブラシ。
【考案の詳細な説明】
【技術分野】
【０００１】  本考案は、毛払いブラシに関する。
【背景技術】
【０００２】  従来、美容室、理容室でカット後に使われる毛払いブラシやフェイスブラシは、洗浄時、消毒時、持ち運び時、収納時に、かさばりやすい。
【考案の概要】
【考案が解決しようとする課題】
【０００３】  本考案は、狭いスペースでも衛生的に使用でき、収納しやすい毛払いブラシを提供する事である。
【課題を解決するための手段】
【０００４】  前記目的を達成するために、本考案の毛払いブラシは、下記（１）〜（４）のいずれか１つの構成を有する。【０００５】（１）ハンドル部と、前記ハンドル部に植え付けられたブラシ部からなる、全体として矩形板状の毛払いブラシ。
（２）ハンドル部に紐状部材をひっかける掛止部が、少なくとも１つある請求項１記載の毛払いブラシ。
（３）ハンドル部に少なくとも１つの滑り止めのある請求項１または、請求項２記載の毛払いブラシ。
（４）ハンドル部の厚み方向に貫通している長孔のある請求項３記載の毛払いブラシ。
【考案の効果】
【０００６】  本考案は、以下の効果を奏する。
（１）の構成の毛払いブラシでは、従来の毛払いブラシよりも、コンパクトに収納でき、ブラシ部とハンドル部が矩形に接合されるので、ブラシ部の毛の重なりが少なく、防湿性、通気性がよく、付いた髪の毛も落としやすいので、ブラシ部の毛も痛みにくい。そして、髪の毛を払う際に、ブラシの動かす方向により、肌に触れる面積を調節しやすい。
（２）の構成の毛払いブラシは、滑り止めがあるため、毛を払う際に、滑りにくく、掛止部により、ストラップや、毛払いブラシをひもなどで、まとめやすい。
【図面の簡単な説明】
【０００７】
【図１】本考案の毛払いブラシの平面図を示す。
【図２】本考案の毛払いブラシの側面図を示す。
【考案を実施するための形態】
【０００８】  本考案の毛払いブラシに係る毛払いブラシの実施形態を、図面を参照しながら具体的かつ詳細に説明する。
【０００９】  本考案の毛払いブラシ１は、全体として、矩形板状である。
【００１０】  本考案の毛払いブラシのハンドル部２は、作業をする際に持つ取っ手の部分であり、ブラシ部３はハンドル部２に植え付けられた髪の毛を払うブラシの部分である。
【００１１】  本考案の毛払いブラシのハンドル部の材質は、特に限定されないが、樹脂など軽い物が好ましい。
【００１２】  本考案の毛払いブラシのブラシ部の材質は、動物の毛、ソフトナイロンなどがあるが、肌に触れても痛くない物が好ましい。
【００１３】  本考案の毛払いブラシの形状は、矩形板状であるが、角に若干の丸みがある直角四辺形、正方形などの略矩形板状であることがより好ましい。
【００１４】  図１における符号Ａは、毛を払う際に持つハンドル部の縦の長さを表している。Ａの長さは、３〜４センチのしっかりつまめる程度の長さが好ましい。
【００１５】  図１における符号Ｂは、ブラシ部の縦の長さを表している。Ｂの長さは、Ａと同等程度の長さが好ましい。
【００１６】  図１における符号Ｃは、ハンドル部の横の長さを表している。Ｃの長さは、Ａ＋Ｂの長さ程度が好ましい。
【００１７】  図１における符号Ｄは、掛止部の一例としてストラップ孔で表現している。ブラシ部とは反対の隅に位置し、ハンドル部の厚み方向に貫通している。掛止部は少なくとも１つあるのが好ましく、２つあるのがより好ましい。ひもなどを通し、複数の毛払いブラシをまとめるためにも、有効活用できる。
【００１８】  図１における符号Ｅは、滑り止めの一例としてハンドル部の厚み方向に貫通している長孔を表現している。他に滑り止めとして、凹凸も利用できる。ハンドル部のほぼ中央に位置し、少なくとも１つあるのが好ましく、複数あるのが好ましい。ハンドル部の厚み方向に貫通している長孔は、毛払いブラシを積み重ねて置く場合に有効であり、洗剤を使用して洗う際に泡立ちやすくなる利点がある。
【００１７】  図１における符号Ｆは、ブラシ部の面である。Ｆのブラシ面は、おでこや頬などに付いた髪の毛を払う作業に優れている。
【００１８】  図２における符号Ｇは、本考案の毛払いブラシの側面図のブラシ部の面である。Ｇのブラシ面は、口、鼻、耳、目のまわりなどに付いた髪の毛を払う作業に優れている。
【００１９】  図２における符号Ｈは、本考案の毛払いブラシの高さ（厚さ）である。１センチ程が好ましい。
【００２０】  本考案の毛払いブラシは、図２の符号Ｈの厚みが薄いので、ブラシ部の表面に出る毛が多くなるため、使用した際、ブラシ部についた毛髪が見えやすいので取り除きやすい。また、乾燥する際は、通気性が良くなるため、短時間で乾かす事ができ、菌や、カビも発生しにくく、衛生面の向上につながる。
【００２１】  本考案の毛払いブラシは、持ち運びやすく、積み重ねたり、コンパクトに収納することができる。
【符号の説明】
【００２２】  １：毛払いブラシ
２：ハンドル部
３：ブラシ部
Ａ：ハンドル部の縦の長さ
Ｂ：ブラシ部の縦の長さ
Ｃ：ハンドル部の横の長さ
Ｄ：掛止部／ストラップ孔
Ｅ：滑り止め／ハンドル部の厚み方向に貫通している長孔
Ｆ：ブラシ部の平面
Ｇ：ブラシ部の側面
Ｈ：本考案毛払いブラシの高さ（厚さ）
【図１】
0003191864.tif 000003
【図２】
0003191864.tif 000004
(57)【要約】      （修正有）【課題】風車や水車のように自然条件によって稼働率が左右されない回転装置を提供する。【解決手段】回転装置は、円盤１と、円盤１に設けられたレール７と、レール７に径方向に移動可能に設けられた錘２と、錘２と連結されたワイヤ５と、ワイヤ５を巻き取るリール４と、リール４に設けられた歯車３と、歯車３と噛み合う歯を有する平ギヤ６によって構成され、錘に作用する重力を利用して円盤が回転する。【選択図】図１
0003191889.tif 000002
【実用新案登録請求の範囲】
【請求項１】
円盤と、
前記円盤に設けられた第１のレールおよび第２のレールと、
前記第１のレールに径方向に移動可能に設けられた第１の錘と、
前記第２のレールに径方向に移動可能に設けられた第２の錘と、
前記第１の錘と連結された第１のワイヤと、
前記第２の錘と連結された第２のワイヤと、
前記第１のワイヤを巻き回す第１のリールと、
前記第２のワイヤを巻き回す第２のリールと、
前記第１のリールに設けられた第１の歯車と、
前記第２のリールに設けられた第２の歯車と、
前記第１の歯車と前記第２の歯車と噛み合う歯を有する歯体を備える、
回転装置。
【請求項２】
前記第１のレールが前記円盤の一方の面に設けられ、 前記第２のレールが前記円盤の他方の面に設けられている、
請求項１に記載の回転装置。
【考案の詳細な説明】
【技術分野】
【０００１】
本発明は重量を利用して回転する装置に関する。
【背景技術】
【０００２】
自然の力を利用して回転する装置としては、従来、風力を利用した風車や水力を利用した水車があり、また最近では太陽光を利用した太陽光発電機の設置も盛んである。
【考案の概要】
【考案が解決しようとする課題】
【０００３】
しかしながら、これらの装置は気候や設置場所等の外部要因で稼働率が大きく左右される。一方で発電の中心となる火力発電は大量のガスを排出し、地球の環境の悪化が懸念される。また石炭や重油等の化石燃料は有限であり、代替エネルギーへの転換が国際規模で求められている。
【課題を解決するための手段】
【０００４】
本考案は、円盤と、前記円盤に設けられた第１のレールおよび第２のレールと、前記第１のレールに径方向に移動可能に設けられた第１の錘と、前記第２のレールに径方向に移動可能に設けられた第２の錘と、前記第１の錘と連結された第１のワイヤと、前記第２の錘と連結された第２のワイヤと、前記第１のワイヤを巻き回す第１のリールと、前記第２のワイヤを巻き回す第２のリールと、前記第１のリールに設けられた第１の歯車と、前記第２のリールに設けられた第２の歯車と、前記第１の歯車と前記第２の歯車と噛み合う歯を有する歯体を備える回転装置である。
【０００５】
この回転装置は、錘に作用する重力を利用して円盤が回転する装置である。円盤の回転角に応じてリールがワイヤに巻き取られることで第１の錘と第２の錘との相対位置が変動し、円盤に回転モーメントを付与する。
【考案の効果】
【０００６】
本考案の回転装置は自然条件に左右されずに使用することができるため、稼働率が安定し、また設置場所を選ばない。さらには設置のための大規模な土木工事も必要なく、化石燃料も使用しないため、環境に与える影響も極めて小さい。
【図面の簡単な説明】
【０００７】
【図１】回転装置の正面図
【図２】回転装置の側面図
【図３】回転装置の使用例を示す図
【考案を実施するための形態】
【０００８】
図１および図２は回転装置の基本的な実施形態を示している。円盤１の表面と裏面にそれぞれレール７を互いに直交する向きに取り付ける。各レール７にはそれぞれレールに沿って移動可能な錘２を取り付ける。各レール７の両端部の４箇所に歯車３を取り付ける。各歯車３にはリール４を取り付け、歯車３と一体的に回転できるようにする。リール４に巻き回されたワイヤ５を錘２の両側にそれぞれ連結する。歯車３にはストッパー８を噛み合わせる。ストッパー８は円盤１の回転角に応じて自重で移動し、歯車３と噛み合ったり、噛み合いを解除したりする。円盤１の外側には、円盤１の回転角に応じて各歯車３と噛み合う歯を有する平ギヤ６を設ける。
【０００９】
円盤１は、図３に示すように３枚一組で回転装置２０を構成し、各々のレール７が３０度ずれるように中心を合わせて組み合わせる。円盤１が回転し、歯車３がＡ地点まで到達すると平ギヤ６と歯車３が噛み合い、歯車３の回転に伴ってリール４が回転する。リール４の回転に伴ってワイヤ５が巻き取られ、錘２がレール７に沿って移動を開始し、歯車３がＢ地点に到達するまでの間にレール７の端部まで引き上げられる。このときストッパー８が自重で歯車３と噛み合うことで錘２の位置をレール７の端部に固定する。円盤１がさらに回転し、歯車３がＣ地点に到達するとストッパー８が歯車３との噛み合いから解除される。そのときレール７の反対側にある歯車３がＡ地点に到達しているため、今度は反対側の端部まで錘２が引き上げられる。これらの一連の動作を各歯車３に対して繰り返し行うことで、円盤１には錘２による回転モーメントが連続して作用し、回転を継続することができる。
【符号の説明】
【００１０】
１  円盤
２  錘
３  歯車
４  リール
５  ワイヤ
６  平ギヤ
７  レール
８  止め金具
９  支柱
１０  平ギヤーの支柱
１１  円盤の繋ぎ金具
１２  ベアリング
２０  回転装置
【図１】
0003191889.tif 000003
【図２】
0003191889.tif 000004
【図３】
0003191889.tif 000005
(57)【要約】      （修正有）【課題】体内のマスタークロックに作用して、体内時計がリセットされ、時差ボケを解消できる効果を有する光照射付きアイマスクを提供する。【解決手段】光照射付きアイマスクは、表布地２とウレタンスポンジ４とＬＥＤランプ８ｂと導光板８ａからなる面発光ＬＥＤ８、裏布地３の４層構造で、内部に駆動回路５、電池６、スイッチ９が組み込まれ、外周部が縫製にて仕立てられている。これにより、光照射付きアイマスクを使用するときには、スイッチ９によって電池６と駆動回路５とを電気的に連結する状態にする。発光素子として面発光ＬＥＤ照明８を使用して、あるいは有機ＥＬ発光体でも良い、使用者の目に対向して設置されている開口部７から波長４６５〜４７５ナノメーターの青色光を使用者の両目めがけて照射する。【選択図】図２
0003191854.tif 000002
【実用新案登録請求の範囲】
【請求項１】
最適な箇所に電池と駆動回路が設置され、かつ４６５〜４７５ナノメーターの波長を持つ光を放射する発光素子が使用者の目と対向する最適な位置に設けられ、かつ該発光素子が電地と駆動回路スイッチで電気的に連結されてなることを特徴とする光照射付きアイマスク。
【請求項２】
前記発光素子が面発光ＬＥＤ照明であることを特徴とする請求項１記載の光照射付きアイマスク。
【請求項３】
前記発光素子が有機ＥＬ照明であることを特徴とする請求項１記載の光照射付きアイマスク。
【考案の詳細な説明】
【技術分野】
【０００１】本考案は、光照射付きアイマスクに係り、特に面発光ＬＥＤ照明や有機ＥＬ照明がアイマスクの内側の内部に設置され、面発光ＬＥＤ照明や有機ＥＬ照明が放射する４６５〜４７５ナノメーターの波長を持つ青色光を目から取り込んで、目が青色光を認識する仕組みを利用したサーカディアンリズム照明が可能な光照射付きアイマスクに関するものである。
【背景技術】
【０００２】従来、一般のアイマスクは、明るい場所で、睡眠をとりやすくするために目を覆い光を遮るためのものであった。アイマスクの内側の内部に光照射付きのサーカディアン照明を有するアイマスクは実用に供されていなかった。
【考案の開示】
【考案の解決しようとする課題】
【０００３】しかしながら、従来の一般のアイマスクでは、睡眠をとりやすくするため目を覆い光を遮ったりする本来の機能を有し、かつ太陽光に代わる人工の光をも照射できる機能を付加して、照射光を目から取り込んで、目が青色光を認識する仕組みを利用したサーカデアン照明で、体内時計をリセットして、時差ボケを緩和したり睡眠障害を解消することが出来なかった。
【課題を解決する手段】
【０００４】上記の欠点を解消するためになされた本願の考案は、アイマスクの内側の内部に電池や駆動回路が設置され、かつ波長４６５〜４７５ナノメーターを持つ青色光を放射し駆動回路と電気的に連結する光照射素子が使用者の両眼と対向する位置に設けられてなり、駆動回路は電地とスイッチとに連結されてなることを特徴とする光照射付きアイマスクである。
【考案の効果】
【０００５】本考案に係る、光照射付きアイマスクによれば次のような効果がある。
（イ）面発光ＬＥＤ照明や有機ＥＬ照明による所定の波長の光を目から取り入れることによって、体内時計をリセットできる。
（ロ）必要とする波長のみの固有エネルギーを目に照射するので、短時間にかつ効果的に時差ボケの緩和や睡眠障害の解消を図ることができる。
【考案を実施するための最良の形態】
【０００６】以下、添付図面を参照して本考案の好適な実施形態を詳細に説明する。【０００７】本考案に係る、光照射付きアイマスク１は、図１〜図３に示すように表布地２とウレタンスポンジ４とＬＥＤランプ８ｂと導光板８ａからなる面発光ＬＥＤ８、裏布地３の４層構造で、図２に示すように内部に駆動回路５、電池６、スイッチ９が組み込まれ、外周部が縫製にて仕立てられている。
【実施例】
【０００８】これにより、光照射付きアイマスク１を使用するときには、スイッチ９によって電池６と駆動回路５とを電気的に連結する状態にする。
発光素子として面発光ＬＥＤ照明８を使用して、あるいは有機ＥＬ発光体１０でも良い、使用者の目に対向して設置されている開口部７から波長４６５〜４７５ナノメーターの青色光を使用者の両目めがけて照射する。【０００９】面発光ＬＥＤ照明８から放射される光線により、使用者の目の光受容体が波長４６５〜４７５ナノメーターの青色光に特に強く反応し、体内のマスタークロックに作用して、体内時計がリセットされて時差ボケが緩和されたり睡眠障害が解消される。
【産業上の利用可能性】
【００１０】朝日を浴びる代わりに、目で人工の青色光（ブルーライト）を見て、脳に知らせると、サーカディアンリズム（体内時計）は正常に戻る、と言われています。
本考案の光照射付きアイマスクはアイマスクの内側で青色光を光らせて目から取り込んで、目が青色光を認識する仕組みを利用したサーカデアン照明付きアイマスクとして利用できます。【００１１】体内時計が狂うために起きる時差ボケ、この時差ボケを早く治したい時に本考案の光照射付きアイマスクが役立ます。
飛行機の機内でも隣の人に迷惑をかけないように使えます。日本出発前にもできます。
現地での時差ボケ解消にも役立ちます。
使い方は簡単です。現地時間の朝、５〜１０分、本考案の光照射付きアイマスクを装着して、青色光を浴びるだけです。【００１２】現代社会では街や建物の中が光にあふれ、夜中でも昼間のような明るい光を浴びることもすくなくありません。このような夜に強い光を浴びたり、反対に朝に太陽の光を浴びない生活が続くと、睡眠障害を引き起こし、通常の社会生活が送れない人もいます。
本考案の光照射付きアイマスクの青色光を浴びれば、人間の持っているサーカディアンリズム２５時間と地球自転の２４時間との１時間のズレをリセットするのに役立ちます。【００１３】介護の現場でも痴呆老人の夜間の睡眠時間が増加し、徘徊・異常行動の回数を減少させることにも活かされています。
【図面の簡単な説明】
【図１】本考案の光照射付きアイマスクの前側の斜視図である。
【図２】本考案の光照射付きアイマスクの背面側の断面図である。
【図３】本考案の有機ＥＬ照明の斜視図である。
【符号の説明】  １  光照射付きアイマスク
２  表布地
３  裏布地
４  ウレタンスポンジ
５  駆動回路
６  電池
７  裏布地の開口部
８  面発光ＬＥＤ照明
８ａ  導光板
８ｂ  ＬＥＤランプ
９  スイッチ
１０  有機ＥＬ照明
【図１】
0003191854.tif 000003
【図２】
0003191854.tif 000004
【図３】
0003191854.tif 000005